(57)【特許請求の範囲】
【請求項１】
庫内を商品収納部とする箱形筐体になる本体ケースの前面に片開き式の外扉を配した自動販売機のキャビネットであり、外扉はその後部周枠が本体ケースの開口端面より庫内側に突き出した段付き形状になり、かつ吊り元側の上下端をヒンジ軸を介して本体ケースに軸支結合し、吊り元と反対側を錠付き扉ロックを介して本体ケースに掛け止めしたものにおいて、外扉の吊り元側における後部周枠の側面，およびこれに対峙する本体ケースの開口側縁の内側に振り分けて一対の防盗板を設け、それぞれの防盗板の前端に略Ｌ字形の係合片部を屈曲形成し、各防盗板の係合片部を平行，かつ前方斜め姿勢で前後に重なり合うような断面形状に形成したことを特徴とする自動販売機のキャビネット。
【請求項２】
請求項１記載のキャビネットにおいて、各防盗板の係合片部を断面Ｖ字形に屈曲形成したことを特徴とする自動販売機のキャビネット。
【請求項３】
請求項２記載のキャビネットにおいて、外扉側に敷設した防盗板の前縁を、外扉と本体ケースの開口縁との間の隙間に突き出すように延在させたことを特徴とする自動販売機のキャビネット。
【発明の詳細な説明】
【０００１】
【発明の属する技術分野】
本発明は、自動販売機のキャビネット、詳しくはその外扉に対する防盗構造に関する。
【０００２】
【従来の技術】
まず、本発明の実施対象となる自動販売機の従来における一般的な構成を図４，図５に示す。各図において、１は箱形筐体としてなる自動販売機の本体ケース、２は本体ケース１の前面に配した片開き式の外扉、３は断熱内扉、４は本体ケース１の庫内に収設した商品収納ラック、５は外扉２の下部に開口した商品取出口、６は商品収納ラック４と商品取出口５との間を連係する商品搬出シュータ、７は販売商品の見本を陳列するディスプレイ室，８はコイン機構、９はビルバリデータである。
【０００３】
また、外扉２はその吊り元側（図面の左側）の上下端がヒンジ軸１０を介して本体ケース１の天板，ベース板に軸支結合されており、吊り元と反対側（図面の右側）が錠付きの扉ロック１１を介して本体ケース１に掛け止めされている。
【０００４】
かかる構成で、常時は扉ロック１１を施錠して外扉２が閉位置から開かないようにロックしておき、商品収納ラック４への商品補給，売上金の回収などを行う際には管理者（ルートマンなど）が管理しているキーを使って扉ロック１１を解錠した上で、外扉２を開いて各種のメンテナンス作業を行うようにしている。
【０００５】
【発明が解決しようとする課題】
ところで、近年になり、バールなどを使ってロケーション先に設置されている自動販売機の外扉をこじ開け、機内から商品，および売上金を不正に盗み出す盗難が多発していることから、その防盗対策として従来の自動販売機では扉ロックを２重に強化したり、外扉にチェーンを掛けるなどの対策を講じて対処しているのが現状である。
【０００６】
これに対して、昨今では自動販売機の盗難手口がますますエスカレートする傾向にあり、バールなどにより扉ロックを破壊して外扉をこじ開ける手口から、最近では防盗面で強化されている扉ロックを狙わずに、吊り元側のヒンジピンを電動グラインダ，ガスバーナなどを使って切断して扉全体を取り外すような手口に変わっている。このために、自動販売機のメーカーでは従来の扉ロック強化策と併せて、外扉のヒンジピンを太い硬質金属のボルトに変更するなどの防盗対策を講じているが、これだけでは盗難を防ぐには不十分である。
【０００７】
そこで、今後の防盗対策としては、外扉のヒンジピンが電動工具などで切断されても、扉自身が取り外せないような防盗構造が必要である。
【０００８】
本発明は上記の点に鑑みなされたものであり、外扉を閉位置にロックした状態では、吊り元側のヒンジピンが切断されても扉を外せないように庫内側から外扉の吊り元側を拘束して防盗性を高めた自動販売機のキャビネットを提供することを目的とする。
【０００９】
【課題を解決するための手段】
上記目的を達成するために、本発明によれば、庫内を商品収納部とする箱形筐体になる本体ケースの前面に片開き式の外扉を配した自動販売機のキャビネットであり、外扉はその後部周枠が本体ケースの開口端面より庫内側に突き出した段付き形状になり、かつ吊り元側の上下端をヒンジ軸を介して本体ケースに軸支結合し、吊り元と反対側を錠付き扉ロックを介して本体ケースに掛け止めしたものにおいて、外扉の吊り元側における後部周枠の側面，およびこれに対峙する本体ケースの開口側縁の内側に振り分けて一対の防盗板を設け、それぞれの防盗板の前端に略Ｌ字形の係合片部を屈曲形成し、各防盗板の係合片部を平行，かつ前方斜め姿勢で前後に重なり合うような断面形状に形成するものとし（請求項１）、具体的には前記の防盗板を次記のような態様で構成する。
【００１２】
前記請求項１のキャビネットにおいて、各防盗板の係合片部を断面Ｖ字形に屈曲形成して強度を増強する（請求項２）。
【００１３】
前記請求項２のキャビネットにおいて、外扉側に敷設した防盗板の前縁を、外扉と本体ケースの開口縁との間の隙間に突き出すように延在させて隙間を塞ぎ、バールなどが隙間に入り難くする（請求項３）。
【００１４】
上記の構成により、外扉が閉じた状態では、本体ケースの庫内側に取付けた防盗板の係合片部と、外扉の後部周枠に取付けた防盗板の係合片部とが前後に重なり合って双方の防盗板が係合される。したがって、扉ロックを施錠した外扉の閉状態で、扉のヒンジピンを電動工具などを使って切断したとしても、外扉の吊り元側では本体ケースの内方に突き出た扉後部の上下に亘る全域が防盗板を介して本体ケースに係止拘束されており、かつ吊り元と反対側が扉ロックを介して本体ケースに引っ掛かっている。したがって、この状態では外扉が上下，左右にも動かず、かつこの状態でバールなどを使って外扉をこじ開けようにしてもチャンネル鋼材で作られた防盗板が補強金として抵抗するので、簡単に外扉を前方に抜き外すことができない。しかも、防盗板は本体ケースの庫内側に位置し、かつ外扉の背後に隠れていて外部からは直接触れることができず、これにより高い防盗性が確保できる。
【００１５】
そして、請求項１の構造によれば、外扉を閉じる際に多少の位置ずれを吸収して防盗板同士の係合片部が前後に正しく重なり合うようになる。また、請求項２のように係合片部をＶ字形に二重構造にすることにより強度アップが図れ、さらに請求項３のように防盗板を延長して外扉と本体ケースとの間の隙間を塞ぐことで、外部からバールを隙間に差し込むことができなくなる。
【００１７】
【発明の実施の形態】
以下、本発明の実施の形態を図１〜図３に示す実施例に基づいて説明する。なお、実施例の図中で図４，図５に対応する部材には同じ符号を付してその詳細な説明は省略する。
【００１８】
すなわち、図示実施例においては、本体ケース１への外扉２の取付け構造は基本的に従来の自動販売機と同じであるが、外扉２の吊り元側では、扉の後部周枠２ａの側面とこれに対峙する本体ケース１の開口端の内側に、それぞれ外扉２の縦寸法に相応する長さに設定した鋼板製の防盗板１２，１３が上下方向に沿って敷設されており、外扉２を閉じた状態で防盗板１２の先端と防盗板１３の先端とが前後に重なり合って外扉２が前方には動かないよう本体ケース１に係止拘束している。
【００１９】
ここで、防盗板１２は、その前端を庫内側に向けて突き出すように略Ｌ形に屈曲して係合片部１２ａを形成したチャンネル材としてなり、その後端部が本体ケース１の開口端の内側に配したケース補強板１ａに重ね合わせて締結ねじ１４でねじ止めされている。一方、防盗板１３は、前端に防盗板１２の係合片部１２ａと逆向きに突き出した係合片部１３ａが屈曲形成されたチャンネル材としてなり、締結ねじ１４で後部周枠２ａの側面にねじ止めされている。
【００２０】
なお、防盗板１２，１３は、ヒンジピン１０を軸支点とした外扉２の開閉動作に干渉することがないように位置決めする。また、外扉２の取付位置の多少のずれ（組立誤差）を吸収して防盗板１２，１３の係合片部１２ａ，１３ａが扉の閉位置で前後に正しく重なり合うようにするために、図示のように防盗板１２の係合片部１２ａの断面形状を“く”字形，防盗板１３の係合片部１３ａの断面形状を“レ”字形に形成し、係合片部１２ａと１３ａとが互いに平行，かつ斜め姿勢で重なり合うようにするのがよい。
【００２１】
上記の構成により、外扉２が閉じた状態では、本体ケース１の庫内側に取付けた防盗板１２の係合片部１２ａと、外扉２の後部周枠２ａに取付けた防盗板１３の係合片部１３ａとが前後に重なり合うようになる。したがって、外扉２を閉じて扉ロック１１（図３参照）を施錠した状態で、外扉２のヒンジピン１０が電動工具などを使って切断されたとしても、外扉２の吊り元側では本体ケース１の内方に突き出た扉後部の周枠２ａがその上下全長域に亘って敷設した防盗板１３，１２を介して本体ケース１に係止拘束されており、かつ吊り元と反対側では外扉２が扉ロック１１を介して本体ケース１に係止されており、したがってこの状態では外扉２が上下，左右にも動かず、かつバールなどを使って外扉２をこじ開けようにしてもチャンネル鋼材で作られた防盗板１２，１３が補強金として抵抗するので、簡単に外扉２を前方に抜き外すことができない。しかも、防盗板１２，１３は本体ケース１の内側に位置して外扉２の背後に隠れているので外部からは防盗板１２，１３に直接触れることができず、これにより高い防盗性が確保される。
【００２２】
次に、図１の防盗構造をさらに改良した実施例を図２に示す。この実施例では、防盗板１２の係合片部１２ａが断面Ｖ字形に屈曲形成した二重構造になる。また、防盗板１３についてもその係合片部１３ａを断面Ｖ字形とし、さらに防盗板１３の前縁を前方に延長し、その延長部１３ｂを本体ケース１の開口端と外扉２の間の間隙を通して外方に通じる隙間の開口端まで延在させた上で外扉２の本体に溶接接合し、バールなどが外部から外扉２と本体ケース１との間の隙間に差し込めないようにしている。
【００２３】
【発明の効果】
以上述べたように、本発明の構成によれば、本体ケースの庫内側で外扉の吊り元側の後端部と本体ケースとの間を前後に重なり合う一対の防盗板で係止拘束するようにしたので、外扉のヒンジピンを電動工具などを使って切断するような手口で機内から商品，金銭を盗むことを試みても、ヒンジピンを切断しただけでは外扉を外すことができず、これにより保安性の高い防盗機能を備えた自動販売機のキャビネットを提供することができる。
【図面の簡単な説明】
【図１】本発明の実施例によるキャビネットの要部構造を表す横断面図
【図２】図１の防盗機構をさらに改良した実施例の要部構造を表す横断面図
【図３】図１，図２の防盗機構を装備した自動販売機のキャビネット全体の構成図であり、(a) は側面図、(b) は正面図
【図４】本発明の実施対象となる自動販売機の従来例の正面図
【図５】図４に示した自動販売機の扉開放状態を表す正面外観図
【符号の説明】
１    本体ケース
２    外扉
２ａ  後部周枠
４    商品収納ラック
１０    ヒンジピン
１１    錠付き扉ロック
１２    防盗板（本体ケース側）
１２ａ  係合片部
１３    防盗板（外扉側）
１３ａ  係合片部
１３ｂ  延長部
【図１】
0003757700.tif 000002
【図２】
0003757700.tif 000003
【図３】
0003757700.tif 000004
【図４】
0003757700.tif 000005
【図５】
0003757700.tif 000006